(57)【要約】【課題】本発明は、誰もがバイオセンサを計測表示器の取付口へ容易に挿入して取り付けることのできるセンサ取付補助具を提供することを目的とする。【解決手段】本発明のセンサ取付補助具１０を、バイオセンサ１２を計測表示器１４の取付口１６へ計測可能な状態に取り付けるための補助具であり、バイオセンサ１２を摺動させる摺動部１８、及びバイオセンサ１２を摺動部１８から押し出す押出口２０を有する誘導部２２と、押出口２０を計測表示器１４の取付口１６に合致するように位置決めする位置決め手段２４と、を備えて構成した。【選択図】図１
2011007729.tif 000002
【特許請求の範囲】
【請求項１】
バイオセンサを計測表示器の取付口へ計測可能な状態に取り付けるためのセンサ取付補助具であり、
前記バイオセンサを摺動させる摺動部、及び該バイオセンサを摺動部から押し出す押出口を有する誘導部と、
該押出口を前記計測表示器の取付口に合致するように位置決めする位置決め手段と、
を備えたセンサ取付補助具。
【請求項２】
前記摺動部が、前記バイオセンサの裏面を摺動させる底面と、該底面の両縁から立ち上がり該バイオセンサの側面を摺動させる二つの内壁面と、を有する請求項１に記載するセンサ取付補助具。
【請求項３】
前記二つの内壁面の間隔が、前記押出口へいくに従って狭くなる請求項２に記載するセンサ取付補助具 。
【請求項４】
前記底面が、前記押出口へいくに従って低くなるテーパ状である請求項２又は請求項３に記載するセンサ取付補助具 。
【請求項５】
前記押出口を前記計測表示器の取付口に合致するように位置決めした状態で固定する固定手段を備えた請求項１乃至請求項４のいずれかに記載するセンサ取付補助具
。
【発明の詳細な説明】
【技術分野】
【０００１】
本発明は、バイオセンサを計測表示器へ取り付けるためのセンサ取付補助具に関する。
【背景技術】
【０００２】
従来から、バイオセンサによる血糖値等の計測値を算出して表示する計測表示器が使用されている。この計測表示器によれば、バイオセンサを計測表示器の取付口に取り付けて血液等の検体を取り込み、血糖値等を算出して表示することにより、血糖値等を認識できる。例えば、図９に示すように、バイオセンサ１を計測表示器２の取付口３に取り付けて、バイオセンサ１の先端に血液を付着することにより、血糖値を算出して表示部４において表示することができる。
【０００３】
しかし、このバイオセンサ１は長さ及び幅が小さく厚さが薄いため、指先で保持して計測表示器２へ取り付けるのは困難であった。特に、老人や手の不自由な人がバイオセンサ１を指先で保持した状態で計測表示器２の取付口３へ挿入して取り付けるのは困難であった。一方、血液を採取する際の計測表示器の取り扱い性を向上させるために計測表示器を固定する固定具の出願がなされている（例えば、特許文献１参照。）。ところが、この固定具はバイオセンサの計測表示器への取り付けに関するものではない。
【先行技術文献】
【特許文献】
【０００４】
【特許文献１】実用新案登録第３１３７８８７号公報
【発明の概要】
【発明が解決しようとする課題】
【０００５】
そこで、本発明者は、このような課題の原因を究明してこのような課題を解決するべく、鋭意研究を重ねた結果、本発明に至ったのである。
【０００６】
すなわち、本発明は、誰もがバイオセンサを計測表示器の取付口へ容易に挿入して取り付けることのできるセンサ取付補助具を提供することを目的とする。
【課題を解決するための手段】
【０００７】
本発明のセンサ取付補助具は、バイオセンサを計測表示器の取付口へ計測可能な状態に取り付けるためのセンサ取付補助具であり、前記バイオセンサを摺動させる摺動部、及び該バイオセンサを摺動部から押し出す押出口を有する誘導部と、該押出口を前記計測表示器の取付口に合致するように位置決めする位置決め手段と、を備えたことを特徴とする。
【０００８】
また、本発明のセンサ取付補助具は、前記センサ取付補助具において、前記摺動部が、前記バイオセンサの裏面を摺動させる底面と、該底面の両縁から立ち上がり該バイオセンサの側面を摺動させる二つの内壁面と、を有することを特徴とする。
【０００９】
また、本発明のセンサ取付補助具は、前記センサ取付補助具において、前記二つの内壁面の間隔が、前記押出口へいくに従って狭くなることを特徴とする。
【００１０】
また、本発明のセンサ取付補助具は、前記センサ取付補助具において、前記底面が、前記押出口へいくに従って低くなるテーパ状であることを特徴とする。
【００１１】
また、本発明のセンサ取付補助具は、前記センサ取付補助具において、前記押出口を前記計測表示器の取付口に合致するように位置決めした状態で固定する固定手段を備えたことを特徴とする。
【発明の効果】
【００１２】
本発明のセンサ取付補助具によれば、誘導部によってバイオセンサを誘導して計測表示器の取付口へ容易に挿入して取り付けることができる。このため、老人や手の不自由な人であっても、寸法の小さいバイオセンサを指先で誘導して計測表示器の取付口へ容易に挿入して取り付けることができる。
【図面の簡単な説明】
【００１３】
【図１】本発明のセンサ取付補助具を示す図であり、バイオセンサを計測表示器に取り付ける前の状態を示す斜視図である。
【図２】図１のセンサ取付補助具を説明するための図であり、同図（ａ）はセンサ取付補助具の背面図であり、同図（ｂ）は計測表示器の正面図である。
【図３】本発明のセンサ取付補助具を示す図であり、バイオセンサを計測表示器に取り付けている状態を示す斜視図である。
【図４】本発明のセンサ取付補助具を示す図であり、バイオセンサを計測表示器に取り付けている状態を示す側面断面図である。
【図５】本発明のセンサ取付補助具を示す図であり、バイオセンサを計測表示器に取り付けた状態を示す斜視図である。
【図６】本発明のセンサ取付補助具を用いて計測表示器に取り付けるバイオセンサを示す斜視図である。
【図７】本発明のセンサ取付補助具の他の実施形態を示す図であり、バイオセンサを計測表示器に取り付ける前の状態を示す斜視図である。
【図８】本発明のセンサ取付補助具の更に他の実施形態を示す図であり、バイオセンサを計測表示器に取り付けている状態を示す側面断面図である。
【図９】従来のバイオセンサ及び計測表示器を示す図であり、バイオセンサを計測表示器に取り付ける前の状態を示す斜視図である。
【発明を実施するための形態】
【００１４】
次に、本発明に係るセンサ取付補助具について、図面に基づいて詳しく説明する。図１〜図５において、符号１０は本発明のセンサ取付補助具を示す。
【００１５】
本発明のセンサ取付補助具１０は、バイオセンサ１２を計測表示器１４の取付口１６へ計測可能な状態に取り付けるための補助具であり、バイオセンサ１２を摺動させる摺動部１８、及びバイオセンサ１２を摺動部１８から押し出す押出口２０を有する誘導部２２と、押出口２０を計測表示器１４の取付口１６に合致するように位置決めする位置決め手段２４と、を備えている。センサ取付補助具１０の材質は、樹脂又は金属等、特に限定されない。
【００１６】
バイオセンサ１２は、図６に示すように、絶縁体から成る基板１２２と、互いに一定間隔を空けて基板１２２上に設けられた一対の電極１２３と、電極１２３上に設けられた反応部１２４と、検体を反応部１２４まで導入する供給口１２５と、を備え、反応部１２４が供給口１２５から導入された検体中の特定成分と反応し、特定成分を定量分析できるように構成されている。計測表示器１４は、バイオセンサ１２を一端１３から取付口１４３に取り付けて、バイオセンサ１２の供給口１２５に血液を付着することにより、血糖値を算出して表示部１４４において表示することができる。
【００１７】
摺動部１８は、バイオセンサ１２の裏面を摺動させる底面２６と、底面２６の両縁から立ち上がりバイオセンサ１２の側面を摺動させる二つの内壁面２８と、を有している。底面２６は、押出口２０へいくに従って低くなるテーパ状であり、二つの内壁面２８の間隔は、押出口２０へいくに従って狭くなっている。底面２６及び内壁面２８は、バイオセンサ１２が摺動しやすいようにテフロン（登録商標）加工等の表面処理を施してもよい。
【００１８】
位置決め手段２４は、計測表示器１４の先端付近に対応した中空部３４から構成され、計測表示器１４の先端付近を中空部３４に嵌合することにより、押出口２０を取付口１６に合致させた状態に位置決めできる。また、位置決め手段２４は、バイオセンサ１２を押し出すスライド部材３０がスライドできるように、溝３２が設けられている。
【００１９】
押出口２０は、計測表示器１４の先端付近を中空部３４に嵌合させた時に、計測表示器１４の取付口１６に合致できる形状に構成されている。すなわち、図２に示すように、中空部３４の底面から押出口２０までの高さＨ１は、計測表示器１４の取付口１６の高さＨ２と同一であり、押出口２０の幅Ｗ１は、取付口１６の幅Ｗ２と同一である。
【００２０】
このような構成のセンサ取付補助具１０を用いて血糖値を測定する場合、図３に示すように、センサ取付補助具１０に計測表示器１４を嵌合することにより、センサ取付補助具１０の押出口２０を計測表示器１４の取付口１６に位置決めした状態で、バイオセンサ１２を底面２６上に載置する。バイオセンサ１２を底面２６上に載置した時、バイオセンサ１２は、図３に示すように、表面側が上で、計測表示器１４へ挿入する一端１３側が略押出口２０側に向いていれば、挿入方向に対して斜め方向であってもよい。
【００２１】
次に、指先で底面２６上のバイオセンサ１２を押さえて押出口２０に向かって力を付加すると、バイオセンサ１２は底面２６及び内壁面２８に対して摺動しながら押出口２０に向かって移動する。押出口２０に向かって移動したバイオセンサ１２は、その一端１３が、押出口２０から押し出されて取付口１６へ挿入されていく。
【００２２】
この時、二つの内壁面２８の間隔は、図３に示すように、押出口２０へいくに従って狭くなっているため、底面２６の押出口２０と反対側の広い部分にバイオセンサ１２を容易に載置できる一方で、内壁面２８によりバイオセンサ１２の一端１３を押出口２０及び取付口１６へ誘導していくことができる。また、底面２６は、図４に示すように、押出口２０へいくに従って低くなるテーパ状であるため、バイオセンサ１２をスムーズに押出口２０及び取付口１６へ誘導していくことができるとともに、バイオセンサ１２が底面２６の押出口２０と反対側端部２７から落下するのを防止できる。
【００２３】
このようにしてバイオセンサ１２が取付口１６へ挿入されて、図５に示すように、計測表示器１４に取り付けられ、バイオセンサ１２の電極１２３が計測表示器１４の図４に示す電極１４２に接続される。この時、スライド部材３０がバイオセンサ１２により押圧されてバイオセンサ１２とともにスライドする。次に、センサ取付補助具１０が計測表示器１４から取り外されバイオセンサ１２のみが計測表示器１４に取り付けられた状態で、バイオセンサ１２及び計測表示器１４により血糖値の測定が行われる。なお、センサ取付補助具１０を計測表示器１４から取り外す時、バイオセンサ１２が押出口２０を通るようにしてセンサ取付補助具１０を取り外すため、センサ取付補助具１０がバイオセンサ１２と干渉することがない。
【００２４】
血糖値の測定終了後は、スライド部材３０がバイオセンサ１２を押し出す方向にスライドさせられ、バイオセンサ１２が計測表示器１４から離脱して落下する。この時に離脱したバイオセンサ１２を入れて回収するための回収補助具を準備しておいてもよい。また、バイオセンサ１２を計測表示器１４から離脱させる時にセンサ取付補助具１０を計測表示器１４へ取り付けておき、バイオセンサ１２をセンサ取付補助具１０の誘導部２２を介して離脱させてもよい。
【００２５】
このようなセンサ取付補助具１０によれば、誘導部２２によってバイオセンサ１２を誘導して計測表示器１４の取付口１６へ容易に挿入して取り付けることができる。このため、老人や手の不自由な人であっても、寸法の小さいバイオセンサ１２を指先で誘導して計測表示器１４の取付口１６へ容易に挿入して取り付けることができる。
【００２６】
以上、本発明の一実施形態について説明したが、本発明はその他の態様でも実施できる。例えば、図７に示すように、センサ取付補助具１０において、二つの内壁面２８の間隔が押出口２０へいくに従って狭くなるとともに、内壁面２８が押出口２０へいくに従ってバイオセンサ１２の挿入方向と平行となる湾曲形状であってもよい。このような内壁面２８であれば、誘導するバイオセンサ１２を押出口２０へ誘導することに従ってバイオセンサ１２の挿入方向と平行にすることができ、より容易にバイオセンサ１２を計測表示器１４へ取り付けることができる。
【００２７】
また、図８に示すように、センサ取付補助具１０において、押出口２０を計測表示器１４の取付口１６に合致するように位置決めした状態で固定する押圧部材（固定手段）５０を備えてもよい。この押圧部材５０は、計測表示器１４に設けた凹部５２内を弾性的に押圧することによって、押出口２０を取付口１６に合致するように位置決めした状態で、センサ取付補助具１０を計測表示器１４へ固定することができる。
【００２８】
また、本発明は図示した実施形態には限定されない。例えば、本発明に使用するセンサ取付補助具は誘導部及び位置決め手段を備えていれば、その外形は特に限定されない。その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００２９】
本発明のセンサ取付補助具によれば、老人や手の不自由な人であっても、寸法の小さいバイオセンサを指先で誘導して計測表示器の取付口へ容易に挿入して取り付けることができる。このため、バイオセンサを計測表示器へ取り付けるために広く利用できる。
【符号の説明】
【００３０】
１０：センサ取付補助具
１２：バイオセンサ
１４：計測表示器
１６：取付口
１８：摺動部
２０：押出口
２２：誘導部
２４：位置決め手段
２６：底面
２８：内壁面
３２：反応部
３６：センサガイド
３８：電極端子
４０：電極端子ハウジング
【図１】
2011007729.tif 000003
【図２】
2011007729.tif 000004
【図３】
2011007729.tif 000005
【図４】
2011007729.tif 000006
【図５】
2011007729.tif 000007
【図６】
2011007729.tif 000008
【図７】
2011007729.tif 000009
【図８】
2011007729.tif 000010
【図９】
2011007729.tif 000011